(57)【要約】      （修正有）【課題】紐靴を手軽に面ファスナ仕様の靴に変更する事の出来る器具を提供する。【解決手段】面ファスナ６が取り付けられた装着テープ本体１に装着する器具であって、固定ボタン上部（雄）２と、固定ボタン／サイズ調整切り離し可能凸部５と、固定ボタン連結ゴム７と、固定ボタン下部（雌）３とを備え、固定ボタン上部は、一方の面が装着テープ本体に装着され、他方の面に固定ボタン／サイズ調整切り離し可能凸部が接続され、固定ボタン／サイズ調整切り離し可能凸部は、固定ボタン下部のボタン穴部分を突き抜け、固定ボタン連結ゴムは、固定ボタン上部と固定ボタン下部とを接続する。靴Ｂの紐穴２つに、固定ボタン上部を差し込み、靴穴の内側から固定ボタン下部（雌）で固定する。靴の厚みにより、固定ボタン下部を突き抜けた固定ボタン／サイズ調整切り離し可能凸部を切り落とし、靴内部を平らにする。【選択図】図７
0003218138.tif 000002
【実用新案登録請求の範囲】
【請求項１】
靴紐の代わりに面ファスナを使用して固定する器具。
【請求項２】
前記面ファスナを靴に装着する際、前記靴紐を通す素材の厚みを調整しながら固定出来るボタンを含む部材を備える請求項１に記載の器具。
【考案の詳細な説明】
【技術分野】
【０００１】  本考案は、従来の紐靴を手軽に面ファスナ仕様の靴に変更させる事の出来る器具である。
【背景技術】
【０００２】  従来、靴は大きく分けて、紐型、面ファスナ型、両方を使用しない３タイプに分かれ販売されている。
【考案の概要】
【考案が解決しようとする課題】
【０００４】  大半の靴は紐型を使用し、面ファスナ型を使用している靴の種類は少ない。その背景として、面ファスナ型商品のデザイン性の難しさがイメージできる。ゆえに、面ファスナ型の靴は種類も少なく、便利な機能を兼ね備えていながら、そのデザインの種類の少なさから一部のユーザーに限られた商品となっている。
また、高齢者等において紐靴を使用する事が困難な場合、同器具を使用する事で簡単に靴の履き脱ぎが可能となり、問題を解決が可能である。
【課題を解決するための手段】
【０００５】  靴紐の代わりに面ファスナを使用して固定する器具を制作する事で解決を行う。
また、面ファスナ器具を靴に装着する際、靴紐を通す素材の厚みを調整しながら固定出来るボタンを含む部材を備える部材を使用する事で、全ての靴紐型の靴に対応できる。
【考案の効果】
【０００６】  本考案「簡易取り付け型面ファスナ靴用バンド部材」を使用する事で、高齢者等にとって従来所有している紐靴を面ファスナ靴に変更させ、手の不自由な方でも使い勝手の良い靴に変更させる効果ができる。
本考案「簡易取り付け型面ファスナ靴用バンド部材」は従来のデザイン性の高い靴に、簡単に取り付ける事が可能で、自分好みのデザインの靴を簡単に面ファスナ靴に変更させる事が出来る。
【図面の簡単な説明】
【０００７】
【図１】本考案の「簡易取り付け型面ファスナ靴用バンド部材」のパーツをしました図面である。
【図２】本考案の「簡易取り付け型面ファスナ靴用バンド部材」の完成図面である。
【図３】本考案の「簡易取り付け型面ファスナ靴用バンド部材」の靴との装着部分の立体図である。
【図４】本考案の「簡易取り付け型面ファスナ靴用バンド部材」を取り付ける前の靴紐が外された靴の状態を示す図である。
【図５】本考案の「簡易取り付け型面ファスナ靴用バンド部材」を装着した靴の上面図である。
【図６】本考案の「簡易取り付け型面ファスナ靴用バンド部材」を装着した靴の側面図である。
【図７】本考案の「簡易取り付け型面ファスナ靴用バンド部材」を靴に装着した時の断面図である。
【考案を実施するための形態】
【０００８】  本考案は、一般的な紐靴の穴が開いていれば、特殊な紐靴を除き、装着可能である。
本考案は、従来の靴紐の穴を利用して、簡易取り付け型面ファスナ靴用バンド部材を靴紐穴に固定し、簡単に紐靴を面ファスナ靴に変更する事が出来る器具である。
また、紐靴型の大きさの異なる靴にも対応できるように、靴紐穴部分の厚みを固定する為のスナップボタンを５段式とし、靴本来の厚みによって、ボタン部分をカットする事で、内部突起を防止すると共に、靴本体と簡易取り付け型面ファスナ靴用バンド部材をしっかりと固定する事が出来る。
さらに、ボタン上部とボタン下部を連結する素材にゴムを使用する事で、より安定感を増す効果を生み出す事が可能である。
【０００９】  運動靴、革靴、ファッション靴等、特殊な紐靴を除き、素材の厚い靴、紐穴の違う位置の靴まで、サイズ、形状を選ばず装着可能で固定する事が出来る。
【００１０】  図１及び図２図３を参照に詳細を説明する。
本体は、素材に関わらず（布、ビニール、皮等を含む）平らな柔軟性のある素材に面ファスナを取り付け、固定する土台に、今回、開発されたボタンを装着し、靴本体Ｂと固定する事によって、紐靴を面ファスナ靴として使用する事が可能になる。
１に面ファスナ６を装着する。
固定ボタン上部（雄）２と固定ボタン連結ゴム７と固定ボタン下部（雌）３を装着する。
同じ工程で２つ作る。（図３参照）
２つのうちの１つを装着テープ本体１に装着する。（図２参照）
２つのうちのもう１つに、リング留め部材８を装着テープのサイズ変更リング４の中に通し固定した部材を作り、固定ボタン上部（雄）２に固定する（図２参照）
１を装着テープのサイズ変更リング４の中に通す。（図２参照）
【００１１】  本考案の靴への装着方法として、靴紐を外した靴の紐穴２つに、固定ボタン上部（雄）２を差し込み、靴穴の内側から固定ボタン下部（雌）３で固定する。その際、靴の厚みにより、固定ボタン下部（雌）３を突き抜けた固定ボタン／サイズ調整切り離し可能凸部５を切り落とす。それにより靴内部が平らになり快適性を増す事が出来る。
同様に、会い向かいの靴紐穴にも同じように装着する。
これにより面ファスナ靴と同じ状態が完成する。（図７参照）
【００１２】  以上の実施例で説明したように、本考案は、特殊な紐靴を除く、紐靴を簡単に面ファスナ靴に進化させる事が可能である。
この事により、新たに面ファスナ靴を購入するのではなく、従来、所持している紐靴を面ファスナにする事で経済的にも環境的にも効果が期待できる。
また、面ファスナタイプの種類が少ない革靴等にも対応でき、手が不自由になった方でも、現在、所持している靴を面ファスナ靴に変更させる事が出来る。介護用具としての機能も持っている。
尚、本体部分の素材は限定するものではなく、布、ビニール、皮等、靴の素材と合わせた素材を用いる事で、より楽しみ方の幅が広がる。
【符号の説明】
【００１３】１    装着テープ本体
２    固定ボタン上部（雄）
３    固定ボタン下部（雌）
４    装着テープのサイズ変更リング
５    固定ボタン／サイズ調整切り離し可能凸部
６    面ファスナ
７    固定ボタン連結ゴム
８    リング留め部材
Ａ    簡易取り付け型面ファスナ靴用バンド部材完成図本体
Ｂ    靴本体
Ｂ１  靴穴
【図１】
0003218138.tif 000003
【図２】
0003218138.tif 000004
【図３】
0003218138.tif 000005
【図４】
0003218138.tif 000006
【図５】
0003218138.tif 000007
【図６】
0003218138.tif 000008
【図７】
0003218138.tif 000009
【手続補正書】
【提出日】平成30年6月20日(2018.6.20)
【手続補正１】
【補正対象書類名】実用新案登録請求の範囲
【補正対象項目名】全文
【補正方法】変更
【補正の内容】
【実用新案登録請求の範囲】
【請求項１】
面ファスナが取り付けられた装着テープ本体に装着する器具であって、
固定ボタン上部（雄）と、
固定ボタン／サイズ調整切り離し可能凸部と、
固定ボタン連結ゴムと、
固定ボタン（雌）とを備え、
前固定ボタン上部（雄）は、一方の面が前記装着テープ本体に装着され、他方の面に固定ボタン／サイズ調整切り離し可能凸部が接続されるものであり、
前記固定ボタン／サイズ調整切り離し可能凸部は、一端が固定ボタン上部（雄）に接続され、他端が固定ボタン下部（雌）のボタン穴部分を突き抜けるものであり、
前記固定ボタン連結ゴムは、前記固定ボタン上部（雄）と前記固定ボタン下部（雌）とを接続するものであることを特徴とする器具。
【請求項２】
前記固定ボタン／サイズ調整切り離し可能凸部は、靴の厚みにより、前記固定ボタン下部（雌）のボタン穴部分を突き抜けた部分を切り落とす事が可能なものであることを特徴とする請求事項１に記載の器具。